Podtech/llm-jp-corpus-v4-ja_patent huggingface dataset:
(57)【要約】      （修正有）【課題】簡単な構造でひとつのパルスを発生させるスイッチを利用して、多様な制御を行う。【解決手段】片方が負極に繋がれた抵抗１を、片方が正極に繋がれた通電の為のスイッチ３に直列に繋ぎ、この繋がれたところ７から繋いだ通電用の導線を、コンデンサー５とコンデンサー４のそれぞれの一方の端子に繋ぎ、コンデンサー５の他方の端子は負極に接続され、コンデンサー４の他方の端子は、片方が負極と繋がった抵抗６と繋がっている。コンデンサー４と抵抗６との間から出た通電線は、負極を同じくする電力増幅装置２に接続され、その電力増幅装置から出た別の通電線は、ゲート機能を持ったＣＰＵ１１に繋がれている。【選択図】図１
2015076873.tif 000002
【特許請求の範囲】
【請求項１】
１．片方が負極（８）に繋がれた抵抗（１）を、２．片方が正極（９）に繋がれた通電の為のスイッチ（３）に、３．直列に繋ぎ、４．この繋がれたところ（７）から、５．繋いだ通電用の導線を、６．コンデンサー（４）とコンデンサー（５）に繋ぎ、７．繋がれたコンデンサー（５）の片方は負極（８）に接続され、８．繋がれたコンデンサー（４）の片方は、９．片方が負極（８）と繋がった抵抗（６）と繋がっている。１０．そして、コンデンサー（４）と抵抗（６）との間（１０）から出た通電線は、１１．負極（８）を同じくする電力増幅装置（２）に接続され、１２．その電力増幅装置（２）からは出た別の通電線は、１３．ゲート機能を持ったＣＰＵ（１１）に繋がれている。１４．その様な装置（図１）。
【請求項２】
１．片方が負極（８）に繋がれた抵抗（１）を、２．片方が正極（９）に繋がれた通電の為のスイッチ（３）に、３．直列に繋ぎ、４．この繋がれたところ（７）から、５．繋いだ通電用の導線を、６．コンデンサー（４）とコンデンサー（５）に繋ぎ、７．繋がれたコンデンサー（５）の片方は負極（８）に接続され、８．繋がれたコンデンサー（４）の片方は、９．片方が負極（８）と繋がった抵抗（６）と繋がっている。１０．そして、コンデンサー（４）と抵抗（６）との間（１０）から出た通電線は、１１．負極（８）を同じくする電力増幅装置（２）に接続され、１２．パラレルパルスを発生させる装置（１２）に繋がっている。１３．発せられたパラレルパルスは、ゲート機能を持ったＣＰＵ（１１）の各ゲートに繋がれている。１４．その様な装置（図２）。
【発明の詳細な説明】
【技術分野】
【０００１】  本発明は、電子電気機器を制御するための技術の一部に属する。
【背景技術】
【０００２】  従来は、実用新案登録（３０７９９２１号）の考案の名称「開閉を伴う物の開閉カウンター」の中心的な技術であるカウントする為に演算ＣＰＵへ演算を行うためのパルスを発生する装置などに使用されている。【０００３】  また、発振装置から一瞬のパルスを取り出すサイリスタＳＣＲの回路装置や、ＩＣ化されたユニットの端子に抵抗とコンデンサーを繋ぎその値を変えることによりパルス幅を変化させたりすることが出来る一つのパルスを発生させるＩＣ製品があるが、発振器のいるサイリスタＳＣＲの回路が内臓されたＩＣかもしれないし、発振器は、電磁波を絶えず発するので好ましくなく、ＩＣなので、主要なところが静電気で破壊され易い。【０００４】  また、高圧電圧を通電させるスイッチが、産業用の大型機の制御には、用いられている。【０００５】  このことは、耐久性が必要とされる過酷な状態での使用に耐えれる構造が、産業界では要求されていることを表している。【０００６】  また、何事にしても、同一な物の安定した量産状態が必要であり、耐久性のない無駄な投資とならないものが求められている。
【発明の開示】
【発明が解決しようとする課題】
【０００７】  本発明は、簡単な構造でひとつのパルスを発生させるスイッチを利用して、多様な制御を行うための方法を提供するものである。【０００８】  そこで、いろいろ課題を明確化してみた。
【課題を解決するための手段】
【０００９】  本発明の達成には、実用新案登録（３０７９９２１号）の考案の名称「開閉を伴う物の開閉カウンター」の中心的な技術である、開閉をカウントする為に演算ＣＰＵへ演算を行うためのパルスを発生する装置で開発した、ワンパルス発生装置の延長線上に本発明があることを認識し、コンデンサーの放電、または、充電が完了することで、電圧の変化が得られることを利用した技術を確立し、その充電、または、放電が完了する僅かな時間を検出し、トランジスターへの接続を可能し、各構成要素の耐圧化を検討し、目的を達成して来た。【００１０】  それらを踏まえて、発生したひとつのパルスを感知させて、ＣＰＵのゲートをオープンにして、入力信号を一定時間待たせる方法を採用した。【００１１】  また、ひとつの信号を発生させ、それを感知させて、シリアルではなく、パラレル信号をＣＰＵのゲートに入力させて、信号の種類が目視でも分かる様にして安全性を確保することにした。【００１２】  パラレルは、配線の数が多くなる欠点があるが、手動のスイッチでも構成でき、その結果、高圧化が可能で、耐久性のある構造が得られるからである。
【発明の効果】
【００１３】  本発明は、すべての制御に確実なワンパルス発生器が発するパルスを一旦、介して、多様な制御を実現出来、制御の明確化が図られ、効果的な発明である。
【発明を実施するための最良の形態】
【００１４】  パルススイッチにより、ＣＰＵのゲートがいくつか開き、そこに、他のパルススイッチからのパラレルパルスを入力させることにより、制御の種類をＣＰＵに決定させ、各パルススイッチが目的とする制御を実現する。
【実施例】
【００１５】  図１、図２、は、発明の全体図である。【００１６】  図３は、図１と図２から出ている信号線がＣＰＵに繋がっている図である。
【産業上の利用可能性】
【００１７】  本発明は、単純な構造のワンパルス発生スイッチを使い各種の制御を、可能にする為の発明であり、この発明は、産業上の利用の可能性は大であると考えられる。
【図面の簡単な説明】
【００１８】
【図１】  発明の全体図。
【００１９】
【図２】  発明の全体図。
【００２０】
【図３】  Ａはワンパルスからの信号で、Ｂはパラレルパルス信号で、Ｃは各制御のための信号。
【符号の説明】
【００２１】  １．抵抗
２．電力発生装置
３．スイッチ
４．コンデンサー
５．コンデンサー
６．抵抗
７．接続点
８．負極
９．正極
１０．接続点
１１．ＣＰＵ
１２．パラレルパルス発生器
【図１】
2015076873.tif 000003
【図２】
2015076873.tif 000004
【図３】
2015076873.tif 000005
(57)【要約】      （修正有）【課題】薄型テレビなどディスプレイの平面スピーカーに於いて、デザインがよく、音質がよく、画面揺れがなく、画質に影響しないピストン運動モードで駆動する平面スピーカーを提供する。【解決手段】振動板１と固定（接着剤）クション２で、テレビ（ディスプレイなど）の筐体５に接着剤で固定する。Ｌ字（コ字）金属３で、振動板１のエッジに張り付ける。振動発声装置（アクチュエータ）４を直接にＬ字（コ字）金属３を振動させることにより、振動板１がピストン運動をする。【選択図】図１
2015076871.tif 000002
【特許請求の範囲】
【請求項１】
ピストン運動モードの平面スピーカー構造。
【発明の詳細な説明】
【技術分野】
【０００１】板を振動させることで、音を発生させる平面スピーカーです。
【背景技術】
【０００２】現在の平面スピーカーはＮＸＴ分配振動モードの理論に基づいて構成されている。該当分配振動モードで構成されたスピーカーはノイズを発生しやすい問題をクリアするため、ピスト運動モードでき、高音質の平面スピーカーを発明しました。
【発明の開示】
【０００３】構造は図１のようになります。
【発明が解決しようとする課題】
【０００４】▲１▼  現在の平面スピーカーはＮＸＴ分配振動モードで動いて、ノイズが発生しやすく問題を解決しようとしています。
▲２▼  現在の平面スピーカー振動板の固定方法がクッションで振動板の一周を固定していて効率悪い問題を解決しようとしています。
【課題を解決するための手段】
【０００５】▲１▼振動板の右と左が相手に影響しないため、振動板の中心を固定します。
例：テレビの場合は中心部が直接にテレビの筐体に両面テープなど接着剤で固定する。
▲２▼構造図３のように、振動板の強度を増強するため、振動板の両サイドにＬ字（コ字）金属など材料で振動板のエッジに貼り付け、アクチュエターをＬ字（コシ字）に直接振動させることより、振動板がピスト運動をさせることです。
【発明の効果】
【０００６】本発明の構造を採用することで、薄型テレビなどディスプレイに対し、前方向き、薄型、高音質スピーカーができると思います。
【発明を実施するための最良の形態】
【０００７】薄型テレビなどディスプレイの製造時に本発明の構造を採用すること。
【図面の簡単な説明】
【０００８】
【図１】は▲１▼の振動板と▲２▼の固定（接着剤）クションで，▲５▼のテレビ（ディスプレイなど）の筐体に接着剤で固定する。▲３▼のＬ字（コ字）金属など材料で，▲１▼の振動板のエッジに張り付ける。▲４▼の振動発声装置（アクチュエータ）を直接に▲３▼のＬ字（コ字）金属などを振動させる。
【図２】は該当発明の振動板の振動の動き図です。図のように振動板の両サイドは上下振動することになります。
【符号の説明】
【０００９】［図１］
▲１▼  振動板
▲２▼  固定（接着剤）クション
▲３▼  Ｌ字（コ字）金属など材料
▲４▼  振動発声装置（アクチュエータ）
▲５▼  テレビ（ディスプレイなど）の筐体
［図２］
▲１▼  振動板
▲２▼  固定（接着剤）クション
▲３▼  テレビ（ディスプレイなど）の筐体
▲４▼  振動発声装置（アクチュエータ）
【図１】
2015076871.tif 000003
【図２】
2015076871.tif 000004
(57)【要約】      （修正有）【課題】宇宙機の発射時に想定される高加速度に対して１０Ｇで１００秒または１００Gで１０秒もの加速度を受けても人間が耐えられる耐高Ｇ鎧を提供する。【解決手段】高加速度環境下でもワイン樽程度の小さなタンクの水中では水圧が少し増加した程度の環境に過ぎないことを利用して宇宙機に乗る飛行士の宇宙服全体を水密を保てる丈夫な鎧とし、タンク内に乗り込む。重量が大きくなり地上での取り扱いが難しくなることを避けるため、軽量の高強度合金で作製する。水中で着用することも一案である。又、呼吸を可能とするアクアラング一式１、２、３を背中またはお腹の部分に取り付ける。また、既開発のパワースーツの組み込みを考量する。【選択図】図１
2015085860.tif 000002
【特許請求の範囲】
【請求項１】
比重が1に近い液体を鎧の中に満たすこと。この鎧は水密を保つことが必要で、可動できる部分は技術の進展による。
【発明の詳細な説明】
【技術分野】
【０００１】
本発明は、高加速度環境下にあって人間が楽に耐えられる鎧に関するものである。
【背景技術】
【０００２】
これまでアクロバット飛行やジェット戦闘機の飛行士が受ける高い加速度は５Ｇから８Ｇ程度のものであるが、耐G飛行服は下半身に圧力をかけて血液の流れを抑制するものであった。人間は１０Ｇから１００Ｇもの高い加速度には1秒間でも耐えられないものと考えられている。
【０００３】
人間は素潜りでも深さ１００ｍを超える記録があるが、通常の人はアクアラングを装備して３０ｍ前後の深さを楽に潜水できる。水圧は深さ３０ｍで４気圧程度である。背景技術は潜水技術であり、人間はかなりの水圧に耐えられるという事実である。
【０００４】
適用せず。
【０００５】
適用せず。
【先行技術文献】
【特許文献】
【０００６】
適用せず。
【非特許文献】
【０００７】
適用せず。
【発明の概要】
【発明が解決しようとする課題】
【０００８】
将来の宇宙機はリニアモーターのような装置で発射される可能性がある。必要な速度を得るための加速距離を短くするには高い加速度が望まれる。
解決しようとする課題は、高加速度にも人間が耐えられる方法である。目標とする耐高Ｇ鎧は１０Ｇで１００秒または１００Gで１０秒もの加速度を受けても人間が耐えられる鎧である。
【課題を解決するための手段】
【０００９】
本発明は、高加速度環境にある酒樽程度の大きさの水を満たしたタンクの中では、酒樽が壊れない強度を持っていれば、水圧が少し高くなっただけに過ぎないことを利用している。
鎧は宇宙服を金属で作製し、中に水を詰めて、１００Ｇの加速度に大きく変形しない強度を持たせる。１０Ｇなら水圧２気圧、１００Ｇなら水圧５気圧で破壊しない強度を持った鎧である。人間がこの鎧を着用した時に水を満たすことが要点である。そして呼吸を可能にするため潜水で使用するアクアラング相当のものを装備する。
【発明の効果】
【００１０】
現在は１０Ｇもの高加速度になる乗り物はないが、機敏な運動を強いられる戦闘機のパイロット用にも応用が可能である。将来の宇宙機では電磁カタパルトで月面から１００Ｇの加速度で１０秒間もの加速を行う場合、これまではマスドライバーと言う名のように物質や機材を打ち出すことしか考えられていなかったが人が乗れる宇宙機も可能であることになる。
【図面の簡単な説明】
【００１１】
【図１】図１は耐高加速度鎧の概観を示す説明図である。（実施例１）
【発明を実施するための形態】
【００１２】
適用せず。
【実施例１】
【００１３】
図１のとおり。
【００１４】
適用せず。
【００１５】
適用せず。
【００１６】
適用せず。
【００１７】
適用せず。
【００１８】
適用せず。
【００１９】
適用せず。
【実施例２】
【００２０】
適用せず。
【産業上の利用可能性】
【００２１】
未来の宇宙技術として不可欠のものになる可能性が高い。
【符号の説明】
【００２２】
１  マウスピース（アクアラング用相当品を内蔵）  
２  レギュレータ（アクアラング用のもの）  
３  小型エアタンク（１５０気圧）  
４  液体（水）注入口とバルブ  
５  液体フル充填確認用口とバルブ  
６  コネクタ（水密と屈曲用フランジ付き）
７  コネクタ（水密）
８  コネクタ（水密と屈曲用フランジ付き）
９  コネクタ（水密と屈曲用フランジ付き）
１０  ヘルメット（目の部分はガラス）
１１  アッパースーツ（２気圧または５気圧に耐える）
１２  グローブ（２気圧または５気圧に耐える）
１３  ロウアースーツ（２気圧または５気圧に耐える）
１４  ブーツ（２気圧または５気圧に耐える）
【図１】
2015085860.tif 000003
(57)【要約】【課題】現状では市販のカードブリーフと呼ばれるカードケース一式はトレーディングカードゲームを想定しているが、トランプ化には自分でスペード・ハート・ダイヤ・クラブのそれぞれに１から１３まで書き、ジョーカー２枚も手書きする必要があるが、この特許を基にしてトランプ化カードケース一式が商品化されれば異なるトレーディングカードや異なる写真をトランプにして遊ぶことが可能になる。市販のカードケース一式にトランプ文字を手書きするとマジックペンのインクがにじんだ例や形や文字が歪む例がある（図１、図２）【解決手段】カードケース一式の生産の段階で機械で印字した後に０．１ミリメートル厚の薄い膜でコーティングすればいい。【選択図】図１
2015085567.tif 000002
【特許請求の範囲】
【請求項１】
背面に不透明な同じ柄を持ち、表面は透明で右上にスペード・ハート・ダイヤ・クラブの１から１３の小計５２枚とジョーカー２枚が印字してある合計５４枚のカードケース一式で、カードゲーム用カードや写真をトランプ化できるようなカードケース一式。
【発明の詳細な説明】
【技術分野】
【０００１】
本発明は、写真やカードのトランプ化の容易なカードケース一式に関するものである。
【背景技術】
【０００２】
背面に不透明な同じ柄を持ち、表面は透明で右上に印字があり、スペード・ハート・ダイヤ・クラブのそれぞれに１から１３の印字された小計５２枚と、ジョーカーを印字された２枚の、合計５４枚のカードケース一式で、印字の上に０．１ミリメートル厚の保護膜があり、カードゲーム用カードや写真から気に入りのカードをカードケース一式にしまうと、トランプ一式になって遊べる。
【０００３】
カードゲーム用カードでは絵柄がお気に入りでも雑魚カードは雑魚カードでお蔵入りだったし、写真ではお気に入りでもアルバムでお蔵入りだった。
【０００４】
この改善策として、背面に不透明で同じ模様があり、おもて面に透明で右上にトランプの文字を印字してあるような、カードケース一式と呼べるものを発案した。
【先行技術文献】
【特許文献】
【０００５】
【特許文献１】特開２０１２−８８４５８号広報
【発明の概要】
【発明が解決しようとする課題】
【０００６】
解決しようとする問題点は、お気に入りのカードゲーム用カードと写真がお蔵入りになること。
【課題を解決するための手段】
【０００７】
本発明は、カードゲーム用カードや写真をトランプ化する。
【発明の効果】
【０００８】
家族や友人間の間でトランプをするときに家族や友人を写してある写真から友人と家族の話題で盛り上がり、カードからはカードゲームの話題で盛り上がる。
【図面の簡単な説明】
【０００９】
【図１】図１は任意のカードをトランプ化できる、カードケースの表面の表と裏を示している（実施例１）
【図２】図２はカードケースにカードを挿入する様子を示している（実施例２）
【発明を実施するための形態】
【００１０】
ごく普通にトランプゲームをする。
【図１】
2015085567.tif 000003
【図２】
2015085567.tif 000004
(57)【要約】【課題】    印刷したコピー用紙をファイルに綴じる時、２穴のパンチで穴をあけて綴じるのが通常の方法である。この従来の方法では、紙片に穴を開けたり、途中の１枚だけを取り外したい時には、その上の綴じた紙片全部を取り外さなくてはならない等の手間のかかる作業が必要である。  本発明は、これらの欠点を取り除き、パンチでコピー用紙に穴を開けずにファイルに綴じる事が出来、かつファイルに綴じられた中の途中の１枚だけを取り外す事の出来る新たな技術を提供するものである【解決手段】コピー用紙にパンチで開けずに、パンチの穴の開いた粘着層を有する紙片を貼って、ファイルに綴じるようにしたものである。【選択図】図１
2015085671.tif 000002
【特許請求の範囲】
【請求項１】
２穴ファイルの綴じ穴の穴間隔と同じ穴間隔に成る２つの綴じ穴と、２つの綴じ穴に隣接して平行を成す粘着面を有し、粘着面の境界に境界線を印刷した紙片を積層してブロック状にしたファイル用穴付き粘着紙片。
【請求項２】
紙片に非粘着部と粘着剤を塗布した粘着部を設け、その境界に境界線を引き、非粘着部に１個の綴じ穴を設けた紙片を積層してブロック状にした粘着紙片。
【発明の詳細な説明】
【技術分野】
【０００１】  本発明は、コピー用紙片等をファイルに綴じる方法に関するものである。
【背景技術】
【０００２】  印刷したコピー用紙をファイルに綴じる時、２穴のパンチで穴をあけて綴じるのが通常の方法である。この従来の方法では、紙片に穴を開けたり、途中の１枚だけを取り外したい時には、その上の綴じた紙片全部を取り外さなくてはならない等の手間のかかる作業が必要となる。
【先行技術文献】
【特許文献】
【０００３】
【特許文献１】  該当なし
【０００４】
【非特許文献１】  該当なし
【発明の概要】
【発明が解決しようとする課題】
【０００５】  本発明は、これらの欠点を取り除き、パンチでコピー用紙に穴を開けずにファイルに綴じる事が出来、かつファイルに綴じられた中の途中の１枚だけを取り外す事の出来る新たな技術を提供するものである。
【課題を解決するための手段】
【０００６】  現在、Ａ４などの用紙を綴じる時には２穴のパンチで穴をあけてからファイルに綴じている。本発明は、２穴ファイルの穴間隔を有する２つの穴と、２つの穴の横に２つの穴と平行に粘着剤を塗布した事を特徴とする紙片である。粘着剤は、貼って剥がせる糊を使用するものとする。
【発明の効果】
【０００７】  本発明の効果を、コピー用紙をファイルに綴じる例により説明する。
本発明のファイル用穴付き粘着紙片は、コピー用紙にパンチで開ける位置に、パンチで穴を開けずに、本紙片の粘着部を貼って使用するものである。【０００８】  本発明のファイル用穴付き粘着紙片を貼り付けたコピー用紙は、粘着紙片の２つの穴がファイルに綴じられるのでコピー用紙は無傷で有り、コピー用紙を抜き取りたい時には、貼り付けてあるファイル用粘着紙片からコピー用紙を剥がして、１枚のコピー用紙だけを抜き取る事が出来る。
【図面の簡単な説明】
【０００９】
【図１】積層したファイル用穴付き粘着紙片の斜視図
【図２】ファイル用穴付き粘着紙片の平面図
【図３】コピー用紙にファイル用穴付き紙片を貼り付けた斜視図
【図４】１穴粘着紙片の平面図
【実施例】
【００１０】  以下、本発明によるファイル用穴付き粘着紙片を実施例により説明する。
【産業上の利用可能性】
【００１１】  本発明は、ファイルにコピー用紙を綴じる時の穴開け作業をなくし、かつ必要な書類だけをファイルの途中から抜きとることが可能となり、事務作業の能率向上に役立つものである。
【発明を実施するための形態】
【００１２】  図１は、積層したファイル用穴付き粘着紙片の斜視図である。
図２は、ファイル用穴付き粘着紙片の平面図である。
ファイル用穴付き粘着紙片１は、２穴ファイルの綴じ穴の穴間隔（約８０ｍｍ）と同じ穴間隔に成る２つの綴じ穴２と、２つの綴じ穴２に隣接して平行を成す粘着面３（斜線部）を有し、粘着面の境界に境界線４を印刷した構成に成るものである。
【００１３】  図１に示すように、ファイル用穴付き粘着紙片１の粘着面３は片面だけに施されており、ファイル用穴付き粘着紙片１は矢印６のように数十枚を積み重ねて圧着され、積層ブロック５に形成して販売される。
【００１４】  図３は、コピー用紙にファイル用穴付き紙片を貼り付けた斜視図である。
使用者は、積層ブロック５からファイル用穴付き紙片１を１枚ずつ剥がしてコピー用紙７に貼り付けて使用する。
ファイルに綴じられるのは、ファイル用穴付き紙片の２つの綴じ穴２であり、コピー用紙を直接綴じる事を避ける効果を有するものである。
従って、ファイルされた複数枚のコピー用紙から任意の１枚を取り外す時には、粘着面からコピー用紙を剥がすことで、容易に抜き取る事が可能である。
【００１５】  図４は、１穴用粘着紙片の平面図である。
１穴用粘着紙片８は、レシートや領収書などを金属棒に刺して整理するスタンドに、領収書などに穴を開けずに、１穴用粘着紙片を貼り付け、その穴に金属棒に刺して使用することが出来る。
また、粘着紙片にメモなどを貼ってフック等に掛けて吊るしたりする用途に使用する事も出来ものである。
紙片には非粘着部１２と粘着剤を塗布した粘着部１０が設けられ、その境界に境界線１１を引き、非粘着部１２に１個の綴じ穴９を設けた紙片を積層してブロック状にした構成に成るものである。
【符号の説明】
【００１６】  １  ファイル用穴付き粘着紙片
２  綴じ穴
３  粘着面
４  境界線
５  積層ブロック
６  矢印
７  コピー用紙
８  １穴用粘着紙片
９  穴
１０  粘着部
１１  境界線
１２  非粘着部
【図１】
2015085671.tif 000003
【図２】
2015085671.tif 000004
【図３】
2015085671.tif 000005
【図４】
2015085671.tif 000006
(57)【要約】      （修正有）【課題】ダンボール等の印刷用印版の収納保管作業が効率的にできる印版収納ラックを提供する。【解決手段】印版収納筒Ｈを１本ずつ独立させて横レールＪにリングＩやランナーＬで連結させ、或いは収納筒Ｈ上部の通し穴に横レールＪを通す等、収納筒Ｈの横移動を可能とする事により、印版収納筒Ｈ間の隙間が自在に広げられ、フイルム裾部が隣接するフイルム裾部に閊える事無く安全で効率的な印版収納作業の確立を可能とする。【選択図】図２
2015085670.tif 000002
【特許請求の範囲】
【請求項１】
整版フイルム収納筒を１本ずつ独立させ、横レールにリングやランナー等で吊り下げて連結させ、収納筒の横方向へのスライドを可能にした事を特徴とした印版収納ラック。（図２）
【請求項２】
整版フイルムの収納筒を１本ずつ独立させ、筒上部の貫通した穴に横レールを通して吊り下げ、収納筒の横方向へのスライドを可能にした事を特徴とした印版収納ラック。（図３）
【発明の詳細な説明】
【技術分野】
【０００１】  本発明は、ダンボール等の印刷用印版の保管に関するものであり、印版の保管に使用されている印版ラックに工夫を施す事により当該作業が安全かつ効率的に運用されるものである。
【背景技術】
【０００２】  従来から、ダンボール等の印刷用印版は重く大きい事から、強靭なフイルムに印版を貼り込んであり、その保管はフイルムの両端に硬化樹脂の止め棒を施して、横列に数十枠程固定されて連なる収納筒の差し込み孔に印版フイルムを１枚から３枚位の単位で挿入し、止め棒で落下しない様に吊るした状態で印版ラックに保管している。（図１参照）
【発明の開示】
【発明が解決しようとする課題】
【０００３】  しかし現状の印版収納作業は、印版保管スペースの制約から極めて狭い収納筒間の差し込み孔への印版挿入を強いられている。
よって、整版フイルムの垂れ下がった裾部分が隣接する収納フイルムの裾部に閊える為、やむを得ず足で押し広げたり、他の作業者の応援を求めたりして当該作業を実施している。
これら危険で非効率的な作業を早急に解決しなければならない課題が印刷現場に放置されている。（図１参照）
【課題を解決するための手段】
【０００４】  この課題を解決する為、請求項１の発明は整版フイルム収納筒を１本ずつ独立させ、印版ラックに施した横方向のレールにリングやランナーで連結させて吊り下げる。
この事により収納筒の横方向のスライドを可能にして収納筒間の隙間を自在に広げられる事から、挿入時整版フイルム裾部が隣接するフイルム裾部に接触する事無く安全で効率的な印版収納作業を可能とする。（図２参照）【０００５】  又、請求項２の発明は整版フイルム収納筒を１本ずつ独立させ、印版ラックに施した横方向のレールに収納筒上部に設けた通し穴に通して吊り下げる。
この事により収納筒の横方向のスライドを可能にして収納筒間の隙間を自在に広げられる事から、挿入時整版フイルム裾部が隣接するフイルム裾部に接触する事無く安全で効率的な印版収納作業を可能とする。（図３参照）
【発明の効果】
【０００６】  本発明により、
１．印版収納作業の安全性が向上する。
２．作業労力の負担軽減となる。
３．印版収納作業の効率化が図れる。
４．印版の破損防止に繋がる。
５．作業者のストレスが大幅に緩和出来る。
【発明を実施するための最良の形態】
【０００７】  図２は、印版収納筒を横レールにリングやランナーで吊り下げ、横方向に移動可能にした斜視図である。
図３は、印版収納筒上部の通し穴に横レールを通し、横方向に移動可能にした斜視図である。
これらの工夫により、収納筒差し込み孔が隣接する収納筒との隙間が設けられ、フイルム裾部が閊える事無く安全で効率的な印版収納作業を可能とする。【０００８】  これら印版ラックの素材は、金属や、プラスチック等を用いる。
【産業上の利用可能性】
【０００９】  本発明に係る印版ラックは、成型や組み立て等従来と同じ方法で工業的に量産出来る、或いは既存のラックを改良しての取り付けも容易に可能である。
更に、印版保存の理想状態は冷暗所である事から当該印版ラックは人の目が届き難い設置場所となる、かつ数十年という極めて長期に亘り使用される事から、あえて電気を使用しない改善の工夫は漏電等電気事故の回避、環境性及び経済性に於いて考慮される重要なポイントとなり、これら諸条件を具備する事から、本発明製品の利用可能性は極めて高い。
【図面の簡単な説明】
【００１０】
【図１】（１）従来の印版ラック作業状態の全体斜視図である。（２）従来の印版ラックの固定された差し込み孔部の斜視図である。
【図２】（１）収納筒を１本ずつ独立させ、横レールにリングで連結させた斜視図である。（２）収納筒を１本ずつ独立させ、横レールにランナーで連結させる説明図である。
【図３】収納筒を１本ずつ独立させ、収納筒上部に施した通し穴に横レールを通した斜視図である。
【図４】本発明による印版ラック作業状態の全体斜視図である。
【符号の説明】
【００１１】Ａ．印版ラック
Ｂ．差し込み孔
Ｃ．切り込み溝
Ｄ．整版フイルム
Ｅ．止め棒
Ｆ．印版
Ｇ．印版区分表示
Ｈ．収納筒
Ｉ．リング
Ｊ．レール
Ｋ．通し穴
Ｌ．ランナー
【図１】
2015085670.tif 000003
【図２】
2015085670.tif 000004
【図３】
2015085670.tif 000005
【図４】
2015085670.tif 000006
(57)【要約】      （修正有）【課題】歯磨き中に歯ブラシの植毛部から流れ落ちる歯磨き剤を受けて、使用者の手や衣服等が汚れないようにする。【解決手段】内部に歯磨き剤が流入する歯磨き剤貯留部２を備えた全体が略円筒形の容器状となされ、上部には歯磨き剤貯留部２への歯磨き剤の流入用開口３が形成され、下部には歯ブラシ４の把柄部４ａまたは頸部４ｂが嵌入する嵌合孔が形成されている歯磨き補助具１であって、市販の歯ブラシ４の把柄部４ａおよび／または頸部４ｂに装着することができる。【選択図】図１
2015085171.tif 000002
【特許請求の範囲】
【請求項１】
内部に歯磨き剤が流入する歯磨き剤貯留部を備えた全体が容器状となされ、上部には歯磨き剤貯留部への流入用開口が形成され、下部には歯ブラシの把柄部および／または頸部が嵌入する嵌合孔が形成されている、歯磨き補助具。
【請求項２】
少なくとも下部の嵌合孔周囲部分がゴム状弾性を有する、請求項１記載の歯磨き補助具。
【請求項３】
先端から植毛部（ヘッド）、頸部（ネック）および把柄部（ハンドル）を備えた歯ブラシにおいて、請求項１または請求項２記載の歯磨き補助具が把柄部または頸部に装着された、歯磨き補助具付き歯ブラシ。
【発明の詳細な説明】
【技術分野】
【０００１】
本発明は、歯磨きを行う際に、歯ブラシから歯磨き剤が流れ落ちないようにするための歯磨き補助具に関する。
【背景技術】
【０００２】
歯磨きには、歯と歯茎の境界部分に斜め（約４５度の角度）に歯ブラシを当てて、左右に振動させるバス法や歯ブラシを軽く歯に当てて、細かく振動させることによって、歯の隙間の汚れを落とすスクラッビング法、或いは歯ブラシを歯茎から歯に向かって回転させるように動かすローリング法等、種々の磨き方があり、また使用する歯ブラシは通常、先端から植毛部（ヘッド）、頸部（ネック）、把柄部（ハンドル）の３つの部分で構成されている。
【０００３】
そして、歯磨きを行う場合、一般に予め歯ブラシの前記植毛部にペースト状の歯磨き剤を付けて、前記把柄部を手で握って前述した種々の歯磨き法を用いて歯のブラッシングを行う。
【先行技術文献】
【特許文献】
【０００４】
【特許文献１】特開２０１３−１９２６０６号公報
【特許文献２】特開２０１２−２４５３１４号公報
【発明の概要】
【発明が解決しようとする課題】
【０００５】
前述した要領で歯磨きを行っていると、口腔内で唾液と混ざって液状になった歯磨き剤が口腔内に溜まると共に歯ブラシの植毛部から頸部、更には把柄部へと流れ落ちる。そして、この際、歯ブラシを持っている手よりも肘を上げていないと前記液状の歯磨き剤が手から前腕へと流れ落ち、また更には歯磨きを行っている人が着用しているパジャマ等の衣服にも流下して該衣服を汚してしまうという不都合がある。また、液状の歯磨き剤が流れ落ちた前述の前腕には歯磨き剤の白い筋状の汚れが付着することから、歯磨き後においては手や前腕を水やお湯で洗い落さければならず、このような不都合によって歯磨きに煩わしさを感ずることも少なくないのが実情である。
【０００６】
本発明の目的は、歯磨き中に歯ブラシの植毛部から流れ落ちる歯磨き剤を受ける歯磨き補助具およびこれを装着した歯ブラシを提供することにある。
【課題を解決するための手段】
【０００７】
請求項１記載の本発明は、内部に歯磨き剤が流入する歯磨き剤貯留部を備えた全体が容器状となされ、上部には歯磨き剤貯留部への流入用開口が形成され、下部には歯ブラシの把柄部および／または頸部が嵌入する嵌合孔が形成されている歯磨き補助具である。
【０００８】
請求項２記載の本発明は、前記請求項１記載の歯磨き補助具について、少なくとも下部の嵌合孔周囲部分がゴム状弾性を有することを技術的特徴とするものである。
【０００９】
請求項３記載の本発明は、先端から植毛部（ヘッド）、頸部（ネック）および把柄部（ハンドル）を備えた歯ブラシにおいて、請求項１または請求項２記載の歯磨き補助具が把柄部または頸部に装着されたことを特徴とする歯磨き補助具付き歯ブラシである。なお、当該歯ブラシには電動のものも含まれる。
【発明の効果】
【００１０】
本発明に係る歯磨き補助具は、その嵌入孔に市販の歯ブラシの頸部または把柄部を通して該歯ブラシに容易に装着することができ、そして、該歯ブラシの植毛部に通常と同様に、歯磨き剤を付けて歯磨きを行えば、使用者の口腔内の唾液と混ざって液状となった歯磨き剤が前記歯ブラシの植毛部から流れ落ちても該歯磨き剤は歯磨き補助具の流入用開口から歯磨き剤貯留部へと流入して該部に溜められるため、使用者の手や前腕、或いは衣服が歯磨き剤によって汚れることがない。
【００１１】
また、従来のように、使用者の手や前腕、或いは衣服が歯磨き剤によって汚れるのを防止するために、歯ブラシを持っている手よりも肘を上げながら歯磨きを行う必要がなくなるため、歯磨きを容易に行うことができ、また前述した汚れ防止効果と相俟って歯磨きの煩わしさが一挙に解消されるという利点を有する。
【００１２】
更に、本発明の歯磨き補助具は、前述した通り、構造が簡単であるため、安価に製造することができる。
【図面の簡単な説明】
【００１３】
【図１】本発明に係る歯磨き補助具およびこれを装着した歯ブラシの斜視図である。
【図２】図１の歯ブラシの把柄部における歯磨き補助具の拡大斜視図である。
【図３】図２の断面図である。
【発明を実施するための形態】
【００１４】
次に、本発明の実施形態を図面にしたがって説明するが、本発明はかかる実施形態に限定されるものではない。
【００１５】
図１〜図３に示すように、本発明に係る歯磨き補助具１は、内部に歯磨き剤が流入する歯磨き剤貯留部２を備えた全体が略円筒形の容器状となされ、上部には歯磨き剤貯留部２への歯磨き剤の流入用開口３が形成され、下部には歯ブラシ４の把柄部４ａまたは頸部４ｂが嵌入する嵌合孔５が形成されている。
【００１６】
図３に示すように、本実施形態では、歯磨き補助具１は断面略方形の中空状であって、合成樹脂またはゴムで構成されている。
【００１７】
図２および図３に示すように、流入用開口３および嵌合孔５はいずれも円形であり、また嵌合孔５の周囲部分は種々の歯ブラシ４における把柄部４ａおよび／または頸部４ｂに対応し得るようにゴム状弾性を有するようにしたり、或いは蛇腹状とする場合もある。
【００１８】
なお、本実施形態の歯ブラシ４は、一般に市販されているものと同様であって、先端から植毛部（ヘッド）４ｃ、頸部（ネック）４ｂ、把柄部（ハンドル）４ａの３つの部分からなり、植毛部４ｃに複数列の繊維束が立設されている。
【産業上の利用可能性】
【００１９】
本発明に係る歯磨き補助具は、安価に製造することができ、しかも市販の歯ブラシに容易に装着することができるため、衛生日用品分野で幅広い利用が期待できる。
【符号の説明】
【００２０】
１  歯磨き補助具
２  歯磨き剤貯留部
３  流入用開口
４  歯ブラシ
４ａ  把柄部
４ｂ  頸部
４ｃ  植毛部
【図１】
2015085171.tif 000003
【図２】
2015085171.tif 000004
【図３】
2015085171.tif 000005
(57)【要約】      （修正有）【課題】パソコン操作時に邪魔にならない程度であって、顎を軽く支えて固定し姿勢が悪くならないようにするためのものを提供する。【解決手段】棒（木製）３の一端にスポンジゴム取付台座（木製）２を設け、その上にスポンジゴム（顎を乗せる）１を設け、また、棒３の他端にすべり止めゴムクッション４を設ける。棒の長さは平均的な座高の高さに合わせて決め、例えばＳ、Ｍ、Ｌの３種類の長さのものを作る。高さは座っている椅子等で微調整する。【選択図】図１
2015085162.tif 000002
【特許請求の範囲】
【発明の詳細な説明】
【技術の分野】
【００１】本発明はパソコン操作時に顎を軽く支えて固定し姿勢が悪くならないようにするための道具に関するものである。
【背景技術】
【００２】従来パソコンを長時間操作するとだんだんと前のめりになって首が曲がり猫背になり姿勢が悪くなりやすい。
【発明の概要】
【発明が解決しようとする課題】
【００３】姿勢が悪くならないように顎を軽く支えて固定して首が曲がらないように猫背にならないように又、パソコン操作に邪魔にならない程度の棒状のコンパクトな道具があればよい。
【発明の効果】
【００４】頭を上げたまま背筋を伸ばしたままでパソコン操作が出来るようになった。
【図面の簡単な説明】
【００５】
【図１】本体の立体外観図である
【図２】本体の使用方法である
【図１】
2015085162.tif 000003
【図２】
2015085162.tif 000004
【手続補正書】
【提出日】平成25年12月19日(2013.12.19)
【手続補正３】
【補正対象書類名】特許請求の範囲
【補正対象項目名】全文
【補正方法】変更
【補正の内容】
【特許請求の範囲】
【請求項１】
棒▲３▼の一端にスポンジゴム取付台座▲２▼を設けその上にスポンジゴム▲１▼を設けもう一端にすべり止めゴムクッション▲４▼を設けたパソコンの相棒。
(57)【要約】【課題】プラモデルのパーツをつなぎ止めているゲート部を短く残してニッパーで切断する際、ニッパーの切断点がプラモデルパーツに触れて傷が付かない様にする事や目視に頼らず一定の長さでゲートを残す事ができるように、ニッパーの基準点と切断点に段差を設けたプラモデル用ニッパーを提供する。【解決手段】ニッパーの基準点（１）から切断点（２）の位置を内側に移動させ段差（３）を設けたプラモデル用ニッパーを特徴とする。【選択図】図１
2015085183.tif 000002
【特許請求の範囲】
【請求項１】
ニッパーの基準点から切断点を内側に移動させ、段差を設けたニッパー。
【請求項２】
プラモデルのパーツを切り取る際に用いられ、ゲートを残すことを目的とした請求項１に記載のニッパー。
【発明の詳細な説明】
【技術分野】
【０００１】  本発明はニッパーの切断部に段差を設けたプラモデル用ニッパーに関するものである。
【背景技術】
【０００２】  従来プラモデルパーツをつないでいるゲート部分を短く残してニッパーで切断する際は目測で位置を調整して行っていた。
【発明の概要】
【発明が解決しようとする課題】
【０００３】  これは、次のような欠点があった。
従来、プラモデルのパーツを綺麗に切り取るためには、ニッパーでパーツをつなぎ止めている「ゲート」と言われる部分をわざと短く残して切断し、その後ヤスリやナイフなどでパーツに残したゲートを削り取る方法が一般的であり、この方法はプラモデルメーカーの説明書や模型製作本にも記載されている。しかしゲートを切断する位置を目測で調整する為に、切断時に手元が狂いニッパーの切断部がパーツに触れてパーツが傷ついてしまうケースや、ゲートを長く残しすぎて再度ゲートを短く切断し直す事があり、困る事が多かった。
本発明は、以上のような欠点をなくすためになされたものである。
【課題を解決するための手段】
【０００４】  ニッパーの基準点（１）から切断点（２）を内側に移動させ段差（３）を設ける。本発明は、以上の構成よりなるプラモデル用ニッパーである。
【発明の効果】
【０００５】  ニッパーの基準点から切断点が離れているので、プラモデルのパーツにニッパーを密着させてゲートを切断してもニッパーの切断部がパーツに触れず傷を付けることがない。【０００６】  目測でゲートの切断位置を調整することなくプラモデルのパーツにニッパーの基準点を密着させていれば、誰が切断しても基準点から切断点までの一定の長さのゲートを残すことができる。
【図面の簡単な説明】
【０００７】
【図１】  本発明の斜視図である。
【図２】  本発明の図１のＡ−Ａ線断面図である。
【図３】  本発明の使用図（切断前）である。
【図４】  本発明の使用図（切断後）である。
【図５】  図２以外の段差の形態である。
【発明を実施するための形態】
【０００８】  以下、本発明を実施するための形態について説明する。
ニッパーの基準点（１）から切断点（２）の位置を内側に移動させて段差（３）を設ける。本発明は、以上のような構造である。
これを使用するときは、ニッパーの基準点（１）をプラモデルのパーツ（５）に密着させてゲート（４）を切断するだけで誰でも同じ長さのゲートを残すことができる（６）。
【符号の説明】
【０００９】１  基準点
２  切断点
３  段差
４  ゲート
５  プラモデルのパーツ
６  残されたゲート部
【図１】
2015085183.tif 000003
【図２】
2015085183.tif 000004
【図３】
2015085183.tif 000005
【図４】
2015085183.tif 000006
【図５】
2015085183.tif 000007
(57)【要約】【課題】  日常携帯するスマートホンやデジカメ等のケースは，大きく常に取り付けているとかさばり，また，機種ごとに個別のケースが必要であった，また，スムーズに電話に出ることが出来ない。  本発明は，コンパクトの出来た機種を選ばない携帯バンドである【解決手段】かさばるケースを使用せず，ゴムベルトを使用することで，スマートホン等の大きさ（機種）に関係なく携帯することができ，コンパクトで邪魔にならない携帯バンドであり，スマートホンの場合は，ベルトを外す。ことなく，携帯バンドを着けたまま電話に出ることが出来る。【選択図】図１
2015085158.tif 000002
【特許請求の範囲】
【請求項１】
携帯にゴムバンドを使用し，コンパクトでいろいろな大きさに対応し，折り返し部分にマジックテープフックの引っかかりを着け脱落を防止する効果を図り，ベルトを装着したまま電話に出ることができ，ベルトの交換も可能にした。
【発明の詳細な説明】
【技術分野】
【０００１】  本発明は，コンパクトにできた機種を選ばないスムーズに電話に出られる携帯バンドである。
【背景技術】
【０００２】  日常携帯するスマートホンやデジカメ等を，必要に応じ携帯する上で，コンパクトで常に邪魔にならない，どんな形や大きさにも合う携帯ケースなどがなかった。
【先行技術文献】
【特許文献】
【０００３】
【特許文献１】  特開          号公報
【発明の概要】
【発明が解決しようとする課題】
【０００４】  日常携帯するスマートホンやデジカメ等のケースは，大きく常に取り付けているとかさばり，また，機種ごとに個別のケースが必要であった，また，スムーズに電話に出ることが出来ない。
本発明は，以上の問題点を解決するためになされたものである。
【課題を解決するための手段】
【０００５】  スマートホンやデジカメをケースによる携帯方法ではなく，ゴムバンドを使用し，マジックテープでとめるシンプルな作りで，ゴムバンドを折り返すことにより脱落を防止する。
【発明の効果】
【０００６】  本発明は、コンパクトで邪魔にならない。
スマートホンやデジカメ等の大きさ（機種）に関係なく携帯することができる。
スマートホンの場合は，携帯バンドごと着けたまま電話に出ることがきる。
バンドは，取り外しができ，古くなったり模様替えなど交換が可能である。
ゴムバンドにより，脱落防止効果が大きい。
ベルトだけでなく，バックなどにも取り付け可能である。
【図面の簡単な説明】
【０００７】
【図１】  本発明の斜視図
【図２】  本発明の使用状態を示す斜視図
【発明を実施するための形態】
【０００８】  以下，本発明の実施の形態を説明する。
（イ）ゴムバンド（幅２．５ｃｍ×１９ｃｍストッキングバンド）
（１）コムバンド外面をマジックテープループ側にする
（２）ゴムバンド外側の片方の先端に１×２．５ｃｍ長方形のマジックテープフッ            ク側を貼り付ける
（ロ）ベルト止め
（３）ベルト止め回転金具（皮覆い）をゴムバンドに取り付ける（結束バンド等を            活用）
（ハ）折り返しプラスチック
（４）ゴムバンド片方の先端を１ｃｍ折り返し、四角プラスチックを取り付ける
本発明は，以上のような構造である。
本発明を使用するときは，
（１）ゴムバンドを（４）プラスチックを通し折り返す。できた輪にスマートホンを通し，マジックテープフック側を引っ張り，ゴムバンドマジックテープループ側に着ける。
【符号の説明】
【０００９】  １コムバンド外面にマジックテープループ側，２ゴムバンド外側片方の先端に１×２．５ｃｍ長方形のマジックテープフック側，３ベルト止め回転金具付き，４折り返し四角プラスチック
【図１】
2015085158.tif 000003
【図２】
2015085158.tif 000004
(57)【要約】      （修正有）【課題】押圧具の突起部の不安定や突起による痛みを除去し、各ツボを的確に押すツボの押圧具を提供する。【解決手段】押圧板１の中央部に逆アーチ形の楕円穴２を設け、その両側の押圧部３の表面に半円状に連ねた複数の突起４を設けたことを特徴とするツボの押圧具。使用するときは、仰向きで立て膝をして、楕円穴２を背骨に合わせて腰を下ろすと、その背骨の両側を押圧し、立て膝を左右交互に倒すと、広範囲にツボを押圧できる。背中の上部に移るときは、左右の手で押圧板１を移動させる。背骨は、Ｓ字状に湾曲しているので、押圧板１を半円状にすると身体に最も適応する。楕円穴２は、力が加わると歪み、押圧板１が身体に密着して背中が反り返ると身体の力が抜け、突起による痛みも半円状に並ぶ各突起４に分散して、突起の痛み等がとり除かれる。背中や腰以外にも後頭部や足踏みなども使用可能である。【選択図】図１
2015085159.tif 000002
【特許請求の範囲】
【請求項１】
押圧板の中央部に逆アーチ形の楕円穴を設け、その両側の押圧部に半円状に連ねた突起を設けたツボの押圧具。
【発明の詳細な説明】
【技術分野】
【０００１】  本発明は、押圧具の突起部を半円形状と曲線にして身体のツボの押圧が広範囲できるツボの押圧具に関するものである。
【背景技術】
【０００２】  従来、身体のコリや疲れをとるためには、主に突起の付いた押圧具などを利用して筋肉のコリなどをほぐしていた。
【発明の概要】
【発明が解決しようとする課題】
【０００３】  これは、次のような問題点があった。
（イ）突起の位置が大まかなため、身体を支えるのが不安定で、肝心のコリや疲れのある各ツボを的確に押圧することも難しかった。
（ロ）各押圧具の使う範囲が限られていた。
（ハ）突起による痛みをとり除くことは不可能だった。
本発明は、以上の問題点を解決しようとするものである。
【課題を解決するための手段】
【０００４】  押圧板の中央部に逆アーチ形の楕円穴を設け、その両側の押圧部に半円形状に連ねた突起を設ける。以上の構成よりなるツボの押圧具である。
【発明の効果】
【０００５】  本発明により、身体の大部分に押圧が可能となり、突起部の不安定や突起による痛みもとり除くので、これまでの使用者の苦痛を解決する。
しかも、ツボに的確に刺激することができる。
【図面の簡単な説明】
【０００６】
【図１】本発明の斜視図
【図２】本発明の使用状態を示す斜視図
【発明を実施するための形態】
【０００７】  以下、本発明の実施の形態を説明する。
（イ）細長い半円状の押圧板（１）の中央部に、貫通させた逆アーチ形状の楕円穴（２）を設ける。
（ロ）楕円穴（２）の両側の各押圧部（３）の表面に、半円状に連ねた小さい細目の突起（４）を複数設ける。
（ハ）各突起（４）の上部は、順を追って並んだ曲線からなる。
本発明は、以上の構成よりなっている。
本発明を使用するときは、仰向きで立て膝をして、楕円穴（２）を背骨に合わせて腰を下ろすと、その背骨の両側を押圧する。そして、立て膝を左右交互に倒すと、広範囲にツボを押圧できる。なお、背中の上部に移るときは、左右の手で押圧板（１）を移動させる。この押圧の動作と共に次のようにして、突起の痛み等がとり除かれる。
背骨は、Ｓ字状に湾曲している。そこで、押圧板（１）を半円状にすると身体に最も適応する。また、楕円穴（２）は、力が加わると歪み、押圧板（１）は身体に密着する。
したがって、押圧板（１）で背中が反り返ると、身体の力が抜けると同時に、突起による痛みも半円状に並ぶ各突起（４）に分散する。
このとき、痛みや突起部の不安定はとり除かれる。
この結果、痛み等が身体に負担となることはない。しかも、押圧具一つで、背中や腰以外にも後頭部や足踏みなど可能である。なお、本発明の押圧板（１）の形は、板状でも中央部に楕円穴（２）を設け、その両側の各突起（４）を半円状に連ねて複数設けるなら、効果が多少は少なくても目的を達することはできる。
【符号の説明】
【０００８】１  押圧板
２  楕円穴
３  押圧部
４  突起
【図１】
2015085159.tif 000003
【図２】
2015085159.tif 000004
(57)【要約】【課題】  本発明は、巨峰、マスカット等の大玉ぶどうを食する時に使用する食器具を提供する。【解決手段】  握り部の長さ方向の一端側に設ける柄部と、該柄部の握り部と反対の一端側の長さ方向に、中空半球状に曲成し凹設した刳り貫き部とからなり、該柄部の握り部側に刳り貫き部の開口部の円形と平行であり、且つ、ぶどうの表皮に貫入し、果肉部に１ｍｍ無いし２ｍｍ程度突入可能な先鋭、突設した刃部を斜設していることを特徴とするぶどう皮剥き器。【選択図】図１
2015085153.tif 000002
【特許請求の範囲】
【請求項１】
握り部の長さ方向の一端側に設ける柄部と、該柄部の握り部と反対の一端側の長さ方向に、中空半球状に曲成し凹設した刳り貫き部とから成り、該柄部の握り部側に該刳り貫き部の開口部の円形面と平行であり、且つ、ぶどうの表皮に貫入し、果肉部に１ｍｍないし２ｍｍ程度突入可能な先鋭、突設した刃部を斜設していることを特徴とするぶどう皮剥きき器。
【請求項２】
該柄部の握り部側に斜設した刃部と、中空半球状に曲成し凹設した刳り貫き部との間に、ぶどうの表皮に貫入した刃部が果肉部に必要以上に突入するのを防ぎ、ぶどうの外形に合わせて滑かにぶどう本体を回転せしめる為の凹設弧状の擦り合わせ部を有することを特長とするぶどう皮剥き器。
【発明の詳細な説明】
【技術分野】
【０００１】  本発明は、巨峰、マスカット等の大玉ぶどうを食する時に使用する食器具に関するものである。
【背景技術】
【０００２】  従来、巨峰等の大玉ぶどうを食するには、皮は剥かずにそのまま口中に入れるか、指先で皮を剥き食するか、又は、楊枝等を差し込んで回して皮を剥いて食するかの方法を用いており機能的に剥く方法が無かった。
【先行技術文献】
【０００３】  それゆえ、その解決の技術もわずかながら存在する。（例えば特許文献１参照）
【０００４】
【特許文献１】  実用新案登録  第２０４８１２３号公報
【発明の開示】
【発明が解決しようとする課題】
【０００５】  そのために次のような問題があった。
（イ）皮を剥かずに食した場合、近年問題となっている残留農薬の心配がある。
（ロ）皮を剥かずに食した場合、食感が良くない。
（ハ）果肉にしっかり付いている皮を指で剥く作業はたいへん面倒であり、皮のみを薄く剥くのは不可能であった。
（ニ）指で剥くのには必ず果肉に触れなければならず、とても不衛生であった。
（ホ）例え剥けても果汁があふれ出てしまい食味は落ち、指は汚れて不快であった。
（ヘ）こうして苦労して取り出した果肉は形くずれし、見栄えは悪く、果肉のみを皿等に盛り付けるには不具合であった。
本発明は以上の問題点を解決するためになされたものである。
【課題を解決するための手段】
【０００６】  ４握り部の長さ方向の一端側に設ける２柄部と、該柄部の４握り部と反対の一端側の長さ方向に、２柄部と３刃部に平行な円形面開口部をもった中空半球状の１刳り貫き部を設けている。【０００７】  ２柄部には４握り部側に、先鋭なる３ａ刃先端部を設けた３刃部を斜設し３刃部は４握り部側のみに設けられている。【０００８】  ２柄部の３刃部と１刳り貫き部の中間にはぶどうの表皮に３ａ刃先端部が必要以上にぶどうの表皮内に突入するのを防ぎ、ぶどうの外形に合わせて滑かに回転させるための凹設弧状の擦り合わせ部を有する。
【発明の効果】
【０００９】  簡単に且つ美しく清潔に大玉ぶどうの皮を剥くことが出来、皮を剥いた中身の果実も直接手に触れることが無く、衛生的に素早く大玉のぶどうを食することが出来る。又、付属の３刃部により皮を加工することで美しい飾り細工ができる。（図面７参照）
【発明を実施するための最良の形態】
【００１０】  以下、本発明の形態について図面に基づいてその作用を簡単に説明する。
大玉ぶどうを食するにあたって本発明を使用する場合、［図４］に示すように３ａ刃先端部を５大玉ぶどうの表皮に１ｍｍないし２ｍｍ程差し込む。【００１１】  この時ぶどう本体は２ａ擦り合わせ部に沿わせながら３刃部がぶどうの表皮に連続して切り込むように回転させ切断する。【００１２】  ぶどうの球面の表皮を４／５周程度又は全周切断した後、１刳り貫き部を表皮の切断部に挿入し、表皮の内側に沿って回転させることにより、果肉のみを形を崩さず１刳り貫き部の中空半球状の中に取り出すことが出来る。【００１３】  この取り出した果肉は器に盛り付けても良いし、そのままスプーンですくったように口中に直接運び食しても良い。
【図面の簡単な説明】
【００１４】
【図１】本発明の斜視図である。
【図２】本発明の正面図である。
【図３】本発明の平面図である。
【図４】本発明の３ａ刃先端部を大玉ぶどうに差し込んだ図である。
【図５】本発明の３刃部で切断したぶどうの表皮と果肉部との間に１刳り貫き部を差し込み、果肉をとりだしている図である。
【図６】本発明により果肉が取り出された後のぶどうの図である。
【図７】本発明により飾り細工が施された後の図である。
【符号の説明】
【００１５】    １    刳り貫き部
２    柄部
２ａ  擦り合わせ部
３    刃部
３ａ  刃先端部
４    握り部
５    大玉ぶどう
６    大玉ぶどうの皮
７    果肉
【図１】
2015085153.tif 000003
【図２】
2015085153.tif 000004
【図３】
2015085153.tif 000005
【図４】
2015085153.tif 000006
【図５】
2015085153.tif 000007
【図６】
2015085153.tif 000008
【図７】
2015085153.tif 000009